(57)【特許請求の範囲】
【請求項１】
通常の運転モードの他に、展示用の運転モードであるデモンストレーションモードを備えた空気調和機の室内機において、
前記デモンストレーションモードを記憶する記憶素子、および
通常の運転モードあるいはデモンストレーションモードを実行するとともに、室外機との間でシリアル通信を行う制御部を備え、
前記制御部は、出荷後、空気調和機の室内機と室外機が電気的に結線されていない状態で、空気調和機の室内機の差込みプラグを商用電源に接続すると、前記デモンストレーションモードにし、空気調和機の室内機と室外機が電気的に結線されて、正常なシリアル通信でＯＮ状態を確認すると、通常の運転モードを実行可能にするとともに、前記デモストレーションモードを解除し、一旦解除した後は再度商用電源に差込みプラグを接続しても、前記デモンストレーションモードへ再復帰しないことを特徴とする空気調和機の室内機。
【発明の詳細な説明】
【０００１】
【発明の属する技術分野】
本発明は、空気調和機に係り、特に、リモコンスイッチからの操作信号に基づいて運転／停止等の操作が行なわれる空気調和機に関する。
【０００２】
【従来の技術】
室内を空調する空気調和機は、冷凍サイクル中を循環する冷媒が室内機に設けている熱交換器を通過するときに、室内へ空調風として吹出す空気との間で熱交換を行なう。
【０００３】
このような空気調和機では、ワイヤレス式のリモコンスイッチ（ワイヤレスリモコン、以下「リモコンスイッチ」と言う）によって、運転／停止は勿論、冷房運転、暖房運転、ドライ運転等の運転モード、設定温度、風量等の設定が行なわれる。空気調和機の室内機は、リモコンスイッチから送信される赤外線信号を受信する受光部を備えており、この受光部でリモコンスイッチから送信された操作信号を受信すると、室内機内に設けられているマイクロコンピュータ（マイコン）が受信した操作信号に基づいて各機器を制御して、空調を行なう。
【０００４】
ところで、空気調和機には、販売店の店頭や展示会等において展示する際に、室内機のみ運転させてデモンストレーションを行なう運転モードであるデモンストレーションモード（以下「デモモード」と言う）を備えたものがある。
【０００５】
このようなデモモードを備えた空気調和機の室内機でデモモード運転をしようとする場合には、リモコンのボタンを二つ同時に押して、電池を挿入する方法や、デモモード運転専用のスイッチを設けるが、このような機能を有するスイッチは、通常の空調運転時には必要がないので、一般に室内機の内部に設けられている。
【０００６】
【発明が解決しようとする課題】
しかしながら、上記デモモードを備えた空気調和機で、デモモードに設定するには、リモコンのボタンを二つ同時に押して、電池を挿入する方法やスイッチを「デモモード運転」に切り換える必要があるため、手間がかかる、という問題点があった。
【０００７】
販売店の店頭等で展示を行なう場合は、通常、機種が異なる複数の室内機を壁面に並べて設置する。従って、このように設置された複数の室内機に対してデモモードを設定する場合には、各室内機の内部に設けられたスイッチの切り換えや、リモコンのボタンを同時に二つ操作を行なうことは、操作が煩雑で、多大な時間を要する。
【０００８】
また、上記デモモードを備えた空気調和機では、デモモード運転を室内機のスイッチ操作で行えば、通常は誰にでも操作できる状態で設けられているので、誤ってデモモードが設定される場合がある、という問題点があった。デモモードは、上述したように販売店の店頭や展示会等において展示する際に設定されるモードであるので、このモードに誤って設定された場合、通常の空調運転を行なうことができなくなる。
【０００９】
本発明は、上記問題点を解消するためになされたものであり、デモンストレーションモードを設定することなく、デモンストレーションモードの運転ができる空気調和機を提供することを目的とする。
【００１０】
【課題を解決するための手段】
上記目的を達成するために、通常の運転モードの他に、展示用の運転モードであるデモンストレーションモードを備えた空気調和機の室内機において、
前記デモンストレーションモードを記憶する記憶素子、および
通常の運転モードあるいはデモンストレーションモードを実行するとともに、室外機との間でシリアル通信を行う制御部を備え、
前記制御部は、出荷後、空気調和機の室内機と室外機が電気的に結線されていない状態で、空気調和機の室内機の差込みプラグを商用電源に接続すると、前記デモンストレーションモードにし、空気調和機の室内機と室外機が電気的に結線されて、正常なシリアル通信でＯＮ状態を確認すると、通常の運転モードを実行可能にするとともに、前記デモストレーションモードを解除し、一旦解除した後は再度商用電源に差込みプラグを接続しても、前記デモンストレーションモードへ再復帰しないことを特徴とする。
この構成によると、簡単にデモモードにすることが出来、室内機と室外機と接続されると、再度デモモードには復帰することがない。
【００１１】
また、この構成によると、記憶素子にデモンストレーションモードが記憶されているので、室外機が接続されていなければ、店頭で、簡単にデモモードにすることが出来、室内機と室外機と接続されると、デモモードに切換わることがなく、トラブルの発生がない。
【００１５】
【発明の実施の形態】
以下に図面を参照しながら本発明の実施の形態について詳細に説明する。
【００１６】
図１に示すように、室内機１は、熱交換器や室内ファンを設けた本体ケーシング２、フィルターの汚れを確認するために開閉して本体内部が視認できる前パネル３、冷暖気を吹き出す吹出口４と、室内空気を吸い込む吸込口５、運転状況を表示する本体液晶表示装置６、除加湿装置からの除加湿された空気を吹き出す除加湿用吹出口７から構成されている。また、運転を入切したり状態を替えたりする操作を遠隔操作するリモコン８を備えている。
【００１７】
また、図２に示すように前パネル３を開いた状態で、前パネル３の吸込口５に対向して、本体ケーシング２の格子状の吸込口に、フィルタ右９、フィルタ左１０が配設され、このフィルタ右９、フィルタ左１０の略中央部に空気清浄フィルター１１，１２が個々取り付けられ、本体の右側には、除加湿装置の室内空気の除加湿用吸込口に除加湿用フィルタ１３が配設されている。
【００１８】
この空気調和機は、図３に示すように被空調室に設置される室内機１と室外に設置される室外機１４によって構成されており、室内機１１と室外機１４とは、冷媒を循環させる冷媒配管１６ａ、１６ｂとで接続されている。
【００１９】
室内機１には、室内熱交換器１５が設けられており、冷媒配管１６ａ、１６ｂのそれぞれの一端がこの室内熱交換器１５に接続されている。また、冷媒配管１６ａの他端は、室外機１４のバルブ１７ａに接続されている。このバルブ１７ａは、四方弁１８を介して圧縮機１９に接続されている。
【００２０】
さらに、室外機１４には、室外熱交換器２０が設けられている。この室外熱交換器２０は、一方が四方弁１８に接続され、他方が膨張弁２１を介してバルブ１７ｂに接続されている。バルブ１７ｂには、冷媒配管１６ｂの他端が接続されている。これによって、室内機１と室外機１４の間に冷凍サイクルを形成する冷媒の密閉された循環路が構成されている。
【００２１】
空気調和機は、図示しない圧縮機モータの駆動により圧縮機１９が運転されると、冷凍サイクル中を冷媒が循環する。図３で、矢印によって暖房運転時（暖房モード：実線矢印）と冷房運転時（冷房モードまたはドライモード：点線矢印）の冷媒の流れを示すように、空気調和機は、四方弁１８の切り換えによって、運転モードが冷房モード（含むドライモード）と暖房モードが切り換えられ、膨張弁２１の弁開度を制御することにより、冷媒の蒸発温度が調整される。
【００２２】
図４に示されるように、室内機１は、ケーシング２に吸込み口５と吹出口４が形成されており、このケーシング２内に室内熱交換器１５が配置されている。室内機１は、ケーシング２の裏面に設けている図示しないベース板によって被空調室の壁面等へ所定の高さで固定される。
【００２３】
このケーシング２内には、室内熱交換器１５と共にクロスフローファン２９が配置されており、クロスフローファン２９の駆動によって室内の空気が吸込口５からフィルタ９，１０を通過してケーシング２内へ吸引される。ケーシング２内に吸引された空気は、室内熱交換器１５を通過した後、吹出口４から室内へ吹き出される。この空気は、室内熱交換器１５を通過することにより、室内熱交換器内を循環する冷媒との間で熱交換が行なわれ、室内を空調する温調された空気となる。
【００２４】
室内機１の吹出口４には、空気の流を上下させる横ルーバー２７と横ルーバ−２７の奥側に空気の流を左右に変える縦ルーバー２８が設けられており、この横ルーバ−２７と縦ルーバ−２８によって、吹出口４から吹き出る空調風の向きが変えられる。縦ルーバ−２８は手動で向きが変えられるようになっており、主に横ルーバ−２７の向きを制御することにより吹出口４から吹出す空調風の風向を制御している。なお、横ルーバ−２７と共に縦ルーバ−２８の向きを制御するものであってもよい。
【００２５】
図５に示すリモコン８は、運転状態を表示するリモコン表示部２１、室内機に信号を送ると点灯する送信表示２２、空気調和機を運転する『運転／停止』スイッチ２３、室内温度を設定する温度スイッチ２４、運転状態を切換える『運転切換』スイッチ２５、風量を変える『風量』スイッチ２６などから構成されてい
る。
【００２６】
空気調和機の運転は、リモコン８の『運転切換』スイッチ２５を押す毎に運転モードが『自動』ー『暖房』ー『冷房』ー『ドライ』ー『自動』ーと変わってリモコン表示部２１に表示されて、運転モードを選択する。
【００２７】
リモコン８の『運転／停止』スイッチ２３を押すと、室内機１の本体液晶表示装置６に運転内容、設定温度、室内温度を順に表示をし、運転中は、常に室内温度を表示する。
【００２８】
運転を停止するときには、リモコン８の『運転／停止』スイッチ２３を押すと、室内機１の本体液晶表示装置６の表示が消え、運転が停止する。温度を変えたいときには、例えば１℃上げたいときには、リモコン８の『温度』スイッチ２４の『△』スイッチを一回押すと、設定温度が１℃変わり、暖房・冷房運転モードのときは、リモコン表示部２１と室内機１の本体液晶表示装置６に設定温度が表示される。また、自動・ドライ運転モードの時には、リモコン表示部２１に設定した温度が表示され、室内機１の本体液晶表示装置６に設定温度が表示される。このとき、室内機１の本体液晶表示装置６の設定温度の表示は、約４秒後に、室温表示に戻る。風量を変えたいときには、リモコン８の『風量』スイッチ２６を押すごとに、風量が変化し、リモコン表示部２１に、『風量自動』ー『風量△』ー『風量△△』ー『風量△△△』ー『風量自動』と表示され、室内機１の本体液晶表示装置６に『風量自動』ー『風量微風』ー『風量弱風』ー『風量強風』ー『風量自動』と表示される。
【００２９】
このリモコン８のスイッチは、スイッチ操作がなされると各スイッチの操作状態に応じた所定のフォーマットの操作信号を、赤外線信号（赤外線発光素子のオン／オフ信号）として送出する。
【００３０】
図６に示すように室内機１の中央部には、液晶表示装置６があり、この本体液晶表示装置６は、室内の湿度に応じて点灯する湿度ランプ５３、室内の汚れに応じて色が変わる清浄度ランプ５２、リモコンからの操作ボタンの信号によって、室内の環境と運転状況を表示する表示部５４、リモコンから信号を受けつける受光部５５とから構成されている。
【００３１】
図７に示されるように、室内機１には、電源基板３０、制御基板３１、表示回路３２が設けられている。電源基板３０には、モータ電源３３、制御回路電源３４、シリアル電源３５及びモータ駆動回路３６が設けられており、空気調和機を運転するための電力（例えば単相１００Ｖの交流電力）が供給されるようになっている。また、制御基板３１には、シリアル回路３７、駆動回路３８及びマイクロコンピュータ（マイコン３９）が設けられている。また、表示基板３２には、表示回路４６、受信回路４５が設けられている。
【００３２】
電源基板３０のモータ駆動回路３６には、前記したクロスフローファン２９を駆動するファンモータ４０が接続されており、制御基板３１に設けられているマイコン３９からの制御信号に応じてモータ電源３３から駆動電力を供給する。このとき、マイコン３９は、モータ駆動回路３６からの出力電圧を変化させるように制御する。これによって、室内機１の吹出口４から吹き出される空調風の風量が調整される。
【００３３】
制御基板３１の駆動回路３８には、室外機１４への電力を供給するパワーリレー（Ｒｙ）４２と，横ルーバ−２７を操作する横ルーバ−モータ（ＲＭ）４１が接続されている。マイコン３９からの信号によってパワーリレー（Ｒｙ）４２を操作し、室外機１４へ電力を供給するための接点４２Ａを開閉する。空気調和機は、接点４２Ａが閉じられることにより、室外機１４への電力の供給が可能となる。
【００３４】
横ルーバ−モータ（ＲＭ）４１は、マイコン３９の制御信号に応じて作動し、横ルーバ−２７の向きを変え、所望の領域へ向けて空調風を吹出すようにしている。
【００３５】
マイコン３９及び電源基板３０のシリアル電源３５に接続されているシリアル回路３７は、室外機１４に接続されており、マイコン３９は、このシリアル回路３７を介して室外機１４との間でシリアル通信を行なう。
【００３６】
また、マイコン３９には、室内温度を検出する室温センサ４３及び室内湿度を検出する湿度センサ４４が接続され、さらに、表示基板３２に設けられている受信回路４５及び表示回路４６が接続されている。
【００３７】
室内機１には、室外機１４への配線を接続する端子台４７が設けられている。この端子台４７のターミナル４７Ａ、４７Ｂ、４７Ｃには、室内機１から室外機１４へ供給する電源用の配線と室内機１と室外機１４の間でシリアル通信を行なうための配線が接続される。
【００３８】
空気調和機は、後述するリモコンのスイッチの操作によって通常の空調運転を開始するときに、パワーリレー（Ｒｙ）４２をオンして接点４２Ａを閉じることにより室外機１４へ電力を供給する。このとき、室内機１に設けているマイコン３９が室外機１４に設けられている図示しないマイコンとの間でシリアル通信を行ない、室外機１４の作動を制御するようになっている。
【００３９】
表示基板３２は、運転状態を表示する液晶表示部６と、リモコン８のスイッチから送出される操作信号を受信する受光素子を備えた受信部４９が配設された受信回路４５が設けられている。受光素子を備えた受信部４９は、受信回路４５に接続され、受光素子によって受信した操作信号が、受信回路４５からマイコン３９に出力される。
【００４０】
空気調和機では、リモコン８のスイッチと、このリモコン８のスイッチから送出される操作信号を受信する受信部４９及び受信回路４５によってリモコン操作装置（図７参照）が形成されており、リモコン８のスイッチの操作信号が受信回路４５を介してマイコン３９に入力されるようになっている。マイコン３９は、この操作信号に基づいて空気調和機の作動を制御する。
【００４１】
マイコン３９は、リモコン８のスイッチから運転開始を指示する操作信号（運転／停止ボタンの操作に基づいた操作信号）を受信すると、パワーリレー４２をオンして室外機１４へ電力を供給すると共に、シリアル通信によって室外機１４を制御しながら空調運転を行なう。
【００４２】
また、本実施の形態に係る空気調和機では、販売店の店頭や展示会等で空気調和機のデモンストレーションを行なう運転モードであるデモンストレーションモード（以下「デモモード」と言う）を備えている。
【００４３】
このデモモードの設定は、室内機１における制御基板３１に設けマイコン３９に接続している記憶素子４８に、デモモードの信号を別の手段（デモ専用リモコン５１）でマイコン３９に送り、マイコン３９より記憶素子４８に一時的にデモモードを記憶させる。記憶素子４８にデモモードを記憶させた状態で、室外機１４は工場より出荷され、店頭に展示される。本実施の形態のデモモードでは、通常のリモコン８のスイッチによって設定された温度に対応する空調運転は行なわず、かつ室外機１４の制御も行なわない。
【００４４】
デモモードは、室内機１の液晶表示部６に運転状態、室内の温度、室内の湿度、運転状態を指示するアドバイス機能などを順々に表示をし、繰り返し表示を続ける。
【００４５】
なお、デモモードの解除は、室内機１と室外機１４とが電気的に接続されて、リモコン８の操作で、室内機１と室外機１４の間でシリアル通信がＯＮ状態を確認されたときに、マイコン３９よりの信号で、記憶素子４８に記憶されているデモモードが解除される。一旦解除されると、再度、デモモードが記憶素子４８に記憶されることがなく、したがって、空気調和機を据付けて室内機と室外機を接続することにより、如何なる条件でもデモモードになることがなく、一方、店頭におけるデモモードを簡単に実施出来、従来のようにデモモードを実施するための操作の煩わしさが解消できる。
【００４６】
以下に、図８を参照して、本実施の形態の概略作用を説明する。
【００４７】
まず、ステップ２００で、通常以外デモ専用リモコン５１で、デモモードの信号を室内機１に送り、受信部４９で受信する。ステップ２０１で、デモモード用信号を受信したマイコン３９で解析を行ない、操作信号に「デモモード」の指定が含まれていることを判定したらステップ２０２に移行する。
【００４８】
ステップ２０２で、マイコンより記憶素子４８にデモモードを記憶させる。記憶素子４８にデモモードを記憶させた状態で商品を工場より出荷する。
【００４９】
記憶素子にデモモードを記憶させた状態でステップ２０３に移行する。上記ステップ２０３における室内機１の差込みプラグ５０を商用電源に接続し、ステップ２０４に移行する。
【００５０】
上記ステップ２０４で、室内機１の差込みプラグ５０を商用電源に接続すると、マイコン３９が記憶素子４８にデモモードが記憶されているかの判定を行う。デモモードが記憶されていると判定された場合にはステップ２０５へ移行する。
【００５１】
ステップ２０５では、室内機１に室外機１４が接続されているかの判定を行う。室外機が接続されていないと判定された場合にはステップ２０６へ移行する。
【００５２】
上記ステップ２０４で、デモモードが記憶されていないと判定された場合や、ステップ２０５で、室外機が接続されていると判定された場合にはステップ２０８へ移行し、リモコン８による通常運転モードとなる。
【００５３】
ここで、上記ステップ２０６によってデモモード運転が実行され、液晶表示部６に運転状態、室内の温度、室内の湿度、運転状態を指示するアドバイス機能などを順々に表示をし、繰り返し表示を続ける。
【００５４】
ステップ２０６において実行される運転処理では、上述したように室外機１４との通信が無効とされているので、室外機１４に関わる処理は行なわれずに、室内機１の表示に関わる処理のみが行なわれる。
【００５５】
一方、上記ステップ２０６のデモモード運転中に、通常のリモコンで操作されても、運転停止しか受けつけず、運転が停止してもデモモードは記憶素子４８に記憶された状態のままである。
【００５６】
再度、デモモード運転をしたいときには、ステップ２０３に戻って、室内機１の差込みプラグ５０を商用電源に接続するか、デモ用リモコン５１で操作で、運転開始することにより、記憶素子に記憶されているデモモードが運転される。
【００５７】
以上詳細に説明したように、本実施の形態に係る空気調和機では、記憶素子にによってデモモードが記憶されているので、リモコンの複数のスイッチを押す操作や、運転切換スイッチによってデモモードを設定する場合に比較して手間がかからず、かつ室内機に設けられている運転切換スイッチにデモモードの設定機能を持たせる必要がなくなり、低コスト化することができる。
【００５８】
また、室内機を室外機に接続すると、デモモードが解消され、一旦解消したデモモードは再復帰する手段がなく、使用中にデモモードに切換ることがなく、トラブルの発生がない。
【００５９】
なお、以上説明した本実施の形態は、本発明の一例を示すものであり、本発明の構成を限定するものではない。
【００６０】
【発明の効果】
本発明のよると、通常の運転モードの他に、展示用の運転モードであるデモンストレーションモードを備えた空気調和機において、
前記デモンストレーションモードを記憶する記憶素子を設け、記憶素子にデモモードを記憶させた状態で商品を出荷し、店頭で、空気調和機の室内機の差込みプラグを商用電源に接続すると、前記デモンストレーションモードの運転が出来るので、複雑な操作をすることなく、簡潔にデモモード運転ができる。
【００６１】
また、前記記憶素子に記憶したデモンストレーションモードは、空気調和機の室内機と室外機が電気的に結線されると、デモモードが解除されるので、使用中に操作誤りでのデモモードの再復帰がなく、トラブルが防止される。
【図面の簡単な説明】
【図１】本実施の形態に適用した空気調和機の室内機とリモコンの外観を示す概略斜視図である。
【図２】図１の室内機のパネルを開いた状態図である。
【図３】空気調和機の冷凍サイクルを示す概略構成図である。
【図４】図１の室内機の概略構成を示す概略断面図である。
【図５】図１のリモコンの概略図である。
【図６】図１の液晶表示装置の概略図である。
【図７】空気調和機の室内機の電気回路の概略構成を示すブロック図である。
【図８】本発明の実施の形態におけるフローチャートの概略図である。
【符号の説明】
１  室内機
２  本体ケーシング
３  前パネル
４  吹出口
５  吸込口
６  液晶表示装置（液晶表示部）
８  送信機（リモコン）
９  フィルター
１４  室外機
１５  室内熱交換器
１８  四方弁
１９  圧縮機
２０  室外熱交換器
３５  シリアル電源
３７  シリアル回路
３９  マイコン
４５  受信回路
４８  記憶素子
４９  受信部
【図１】
0004829401.tif 000002
【図２】
0004829401.tif 000003
【図３】
0004829401.tif 000004
【図４】
0004829401.tif 000005
【図５】
0004829401.tif 000006
【図６】
0004829401.tif 000007
【図７】
0004829401.tif 000008
【図８】
0004829401.tif 000009